(57)【要約】    【課題】  自動無段変速機を備えた車両の定速走行制御時に、運転者に違和感を与えるエンジン回転速度の変動が発生することを回避する。    【解決手段】  自動走行制御中に、車速が安定し、かつ、そのときのエンジン回転速度が所定値以上であると、無段変速機の変速比変化を抑制する処理を行う。これにより、車速を目標車速に一致させるためのスロットル開度変化に反応して、変速比が通常に変化してしまうことを防止する。変速比変化を抑制する処理は、スロットル開度の変化，車速偏差，目標車速の変更に伴ってキャンセルされる。【選択図】  図２
2006316699.tif 000002
【特許請求の範囲】
【請求項１】
エンジンの発生トルクが自動無段変速機を介して駆動輪に伝達される車両であって、前記エンジンの発生トルクを制御する定速走行制御装置を備えた車両において、
前記定速走行制御装置により前記エンジンの発生トルクが制御される状態において、前記自動無段変速機における変速比変化を抑制することを特徴とする車両の制御装置。
【請求項２】
前記定速走行制御装置により前記エンジンの発生トルクが制御される状態であって、かつ、車速の安定状態であるときに、前記自動無段変速機における変速比変化を抑制することを特徴とする請求項１記載の車両の制御装置。
【請求項３】
前記定速走行制御装置により前記エンジンの発生トルクが制御される状態において、前記自動無段変速機における変速比を固定することを特徴とする請求項１又は２記載の車両の制御装置。
【発明の詳細な説明】
【技術分野】
【０００１】
本発明は、エンジンの発生トルクが自動無段変速機を介して駆動輪に伝達される車両であって、エンジンの発生トルクを制御する定速走行制御装置を備えた車両の制御装置に関する。
【背景技術】
【０００２】
特許文献１には、定速走行制御を行うと共に、無段変速機を備えた車両において、定速走行制御における減速要求に対して、車両の駆動源に加わる負荷を増加させる制御装置が開示されている。
【特許文献１】特開２００１−２３３０８１号公報
【発明の開示】
【発明が解決しようとする課題】
【０００３】
ところで、定速走行制御において実車速を目標車速に一致させるための制御は、一般的に、エンジンのスロットル開度（吸入空気量）を調整することで行われる。
ここで、エンジン発生トルクが自動有段変速機を介して駆動輪に伝達される車両を、平地で定速走行させる場合は、目標車速（設定車速）を維持させるのに変速段の切り換りが発生するほどにスロットル開度を変化させることがなく、エンジン回転速度は吸入空気量の調整のみによって比較的緩やかに変化する。
【０００４】
しかし、エンジン発生トルクが自動無段変速機を介して駆動輪に伝達される車両の場合には、僅かなスロットル開度の変化にも反応して変速比がリニアに変化し、例えば、車速を増大させる要求に対して吸入空気量の増量と変速比のシフトダウンとが同時に行われる。
このため、自動無段変速機を備えた車両において定速走行制御を行わせると、車速が比較的安定している状態であるにも関わらず、エンジン回転速度の大きな変動が発生し、運転者に違和感を与えてしまうという問題があった。
【０００５】
本発明は上記問題点に鑑みなされたものであり、自動無段変速機を備えた車両の定速走行制御時に、運転者に違和感を与えるエンジン回転速度の変動が発生することを回避できる車両の制御装置を提供することを目的とする。
【課題を解決するための手段】
【０００６】
そのため請求項１記載の発明では、定速走行制御装置によりエンジンの発生トルクが制御される状態において、自動無段変速機における変速比変化を抑制する構成とした。
かかる構成によると、定速走行制御に伴うエンジン発生トルクの変化を受けて、自動無段変速機の変速比が変化するときに、この変速比変化を抑制する処理が行われる。
従って、エンジン発生トルクの変化に同期して変速比が大きく変化することが回避され、エンジン回転速度の変動を抑制することができる。
【０００７】
請求項２記載の発明では、定速走行制御装置によりエンジンの発生トルクが制御される状態であって、かつ、車速の安定状態であるときに、自動無段変速機における変速比変化を抑制する構成とした。
かかる構成によると、車速が安定していて、大きな駆動力の増減が必要なく、エンジン発生トルクの調整のみで必要充分に車速を制御できる場合には、自動無段変速機の変速比変化を抑制する。
【０００８】
従って、例えば平地を定速走行しているときに、エンジン発生トルクの制御に同期して変速比が大きく変動することで、エンジン回転速度が大きく変動し、運転者に違和感を与えることを防止できる。
請求項３記載の発明では、定速走行制御装置によりエンジンの発生トルクが制御される状態において、自動無段変速機における変速比を固定する構成とした。
【０００９】
かかる構成によると、定速走行制御に伴ってエンジン発生トルクが変化しても、これに対応する無段変速機の変速制御を禁止し、無段変速機の変速比を固定する。
従って、定速走行制御が、エンジン発生トルクの制御のみによって行われ、定速走行制御に伴うエンジン発生トルクの変化に同期して変速比が変化することがなく、エンジン回転速度の大きな変動を防止できる。
【発明を実施するための最良の形態】
【００１０】
以下に本発明の実施の形態を説明する。
図１は、実施形態における車両の駆動系を示すシステム図である。
本実施形態の駆動系は、エンジン１０１で発生したトルクを、自動無段変速機１を介して駆動輪（図示省略）に伝達する構成である。
図１において、エンジン（内燃機関）１０１の吸気管１０２には、スロットルモータ１０３ａでスロットルバルブ１０３ｂを開閉駆動する電子制御スロットル１０４が介装され、該電子制御スロットル１０４及び吸気バルブ１０５を介して、燃焼室１０６内に空気が吸入される。
【００１１】
エンジン１０１の燃焼排気は、燃焼室１０６から排気バルブ１０７を介して排出され、フロント触媒１０８及びリア触媒１０９で浄化された後、大気中に放出される。
前記吸気バルブ１０５及び排気バルブ１０７は、それぞれ吸気側カムシャフト１１０Ａ，排気側カムシャフト１１０Ｂに設けられたカムによって開閉駆動される。
また、各気筒の吸気バルブ１０５上流側の吸気ポート１１１には、電磁式の燃料噴射弁１１２が設けられる。
【００１２】
前記燃料噴射弁１１２は、エンジンコントロールユニット（ＥＣＵ）１１３から気筒毎に出力される噴射パルス信号によって開弁駆動されると、所定圧力に調整された燃料を吸気バルブ１０５に向けて噴射する。
シリンダ内に形成された混合気は、点火プラグ１１４による火花点火によって着火燃焼する。
【００１３】
前記点火プラグ１１４には、それぞれにパワートランジスタを内蔵したイグニッションコイル１１５が設けられており、前記エンジンコントロールユニット１１３は、前記パワートランジスタをスイッチング制御することによって、各気筒の点火時期（点火進角値）を独立に制御する。
前記エンジンコントロールユニット１１３には、エンジン１０１の吸入空気量Ｑを検出するエアフローメータ１１５、アクセル開度を検出するアクセルペダルセンサ（APS）１１６、クランクシャフト１２１から単位クランク角度毎のポジション信号ＰＯＳを取り出すクランク角センサ１１７、スロットルバルブ１０３ｂの開度ＴＶＯを検出するスロットルセンサ１１８、車速を検出する車速センサ１１９からの検出信号が入力される。
【００１４】
そして、前記エンジンコントロールユニット１１３は、前記検出信号に基づく演算処理によって、前記スロットルモータ１０３ａ，燃料噴射弁１１２，パワートランジスタに制御信号を出力する。
更に、前記エンジンコントロールユニット１１３は、定速走行制御装置（Auto Speed Control Device）における制御機能を担うようになっている。
【００１５】
前記エンジンコントロールユニット１１３には、定速走行制御装置の操作スイッチ信号が入力されると共に、ブレーキペダルの踏み込みを検出するブレーキスイッチ１３１の信号，エンジン１０１と組み合わされる無段変速機１がニュートラルであるか否かを示すニュートラルスイッチ１３２の信号が入力される。
前記定速走行制御装置の操作スイッチとしては、メインスイッチに相当するクルーズＯＮ・ＯＦＦスイッチ（CRUISE ON OFF SW）１３４、アクセラレート・リジューム・スイッチ（ACCEL RES SW）１３７、コースト・セット・スイッチ（COAST SET SW）１３６、キャンセルスイッチ（CANCEL SW）１３５が設けられる。
【００１６】
上記構成の定速走行制御装置においては、実際の車速が目標車速（運転者による設定車速）になるように、前記スロットルモータ１０３ａ（スロットルバルブ１０３ｂの開度ＴＶＯ）をフィードバック制御する。
前記定速走行制御装置の操作方法は、概略以下の通りである。
まず、クルーズＯＮ・ＯＦＦスイッチを押してＯＮ状態にし、希望車速のときにコースト・セット・スイッチを押すと、そのときの車速が目標車速にセットされ、該目標車速に実際の車速を維持するように、スロットルバルブ１０３ｂの開度ＴＶＯをフィードバック制御してエンジン１０１の発生トルクを制御する。
【００１７】
目標車速を増速させたいときには、アクセラレート・リジューム・スイッチを押し続けると目標車速が上がり、目標車速を減速させたいときには、コースト・セット・スイッチを押し続けると目標車速が下がる。
また、一時的に加速したいときには、アクセルペダルを踏み込むことで加速し、アクセルペダルを戻すと、目標車速での定速走行に戻る。
【００１８】
更に、定速走行制御中に、以下の条件で定速走行制御（目標車速を維持する制御）が解除される。
ａ）ブレーキペダルが踏まれた場合
ｂ）Ａ／Ｔセレクトレバーがニュートラル位置に操作された場合
ｃ）目標車速よりも所定速度（例えば１３ｋｍ／ｈ）以上低下した場合
ｄ）車速が所定速度（例えば３０ｋｍ／ｈ）以下になった場合
ｅ）キャンセルスイッチを押した場合
ｆ）クルーズＯＮ・ＯＦＦスイッチをＯＦＦした場合
尚、定速走行制御が解除された後でも、車速が一度も所定速度（例えば３０ｋｍ／ｈ）以下になってなく、かつ、クルーズＯＮ・ＯＦＦスイッチがＯＦＦされていない場合には、アクセラレート・リジューム・スイッチを押すと定速走行制御が再開される。
【００１９】
前記自動無段変速機１は、エンジン側のプライマリプーリ２と、駆動軸（デフ）側のセカンダリプーリ３と、これらの間に巻掛けられたベルト４とを備え、プライマリプーリ側アクチュエータ２ａの変速圧、及び、セカンダリプーリ側アクチュエータ３ａへのライン圧調整により、プーリ比を変化させて、変速比を無段階に変化させることができるものである。
【００２０】
但し、無段変速機としてはトロイダル式等の他の機構のものであっても良い。
前記変速圧及びライン圧は、オイルポンプ５につながる油圧回路６の油圧をリリーフする機能を有する電磁弁７，８により制御して調圧しており、電磁弁７，８はＡＴコントロールユニット９により制御される。
従って、ＡＴコントロールユニット９により電磁弁７，８を制御して、変速圧及びライン圧を調整することにより、変速比を無段階に変化させることができる。
【００２１】
自動変速制御のためにＡＴコントロールユニット９には、前記車速センサ１１９からの車速信号ＶＳＰ、スロットルセンサ１１８からのスロットル開度信号ＴＶＯ、クランク角センサ１１７からの回転信号等が入力される。
前記ＡＴコントロールユニット９は、前記入力信号に基づいて、定常状態に対応する基本変速比を設定すると共に、該基本変速比に対して所定の速度で追従変化する目標変速比を設定し、前記目標変速比に実際の変速比を一致させるべく電磁弁７，８をフィードバック制御する。
【００２２】
具体的には、前記車速ＶＳＰ及びスロットル開度ＴＶＯに基づいて運転条件から要求される基本変速比を設定し、この基本変速比と目標変速比との間に偏差がある場合には、前記目標変速比を徐々に前記基本変速比に近づけるように一定時間毎に所定量ずつステップ変化させる。
そして、エンジン回転速度Ｎｅと車速ＶＳＰ（変速機の出力軸回転数）から求められる変速機の実際の変速比が、前記目標変速比に近づくように前記電磁弁７，８をフィードバック制御する。
【００２３】
前記ＡＴコントロールユニット９と前記エンジンコントロールユニット１１３とは、相互に通信可能に構成され、前記エンジンコントロールユニット１１３は、図２のフローチャートに示すように、定速走行制御中に所定条件が成立すると、前記ＡＴコントロールユニット９に対して変速比変化を強制的に抑制することを要求する信号を出力する。
図２のフローチャートにおいて、定速走行制御が開始されると（ステップＳ１）、ステップＳ２で目標車速に実車速を一致させるためのスロットル開度ＴＶＯのフィードバック制御を開始する。
【００２４】
ステップＳ３では、車速が安定している状態であるか否かを判別する。
例えば、単位時間当たりの車速の変化幅が所定値以下である状態が所定時間以上継続しているときに、車速が安定していると判断する。
車速の安定状態であれば、ステップＳ４へ進み、エンジン回転速度が所定値以上であるか否かを判別する。
【００２５】
そして、車速の安定状態であって、かつ、エンジン回転速度が所定値以上であるときには、ステップＳ５へ進み、前記ＡＴコントロールユニット９に対して、無段変速機１における変速比変化を強制的に抑制することを要求する信号を出力する。
車速が安定している状態では、スロットル開度ＴＶＯのフィードバック制御のみで、車速を目標車速付近に維持させることができ、このとき、実車速の変動を吸収するためのスロットル開度ＴＶＯの変化に連動して無段変速機１の変速比が通常に変化すると、スロットル開度ＴＶＯの変化によるエンジン発生トルクの変化に、変速比の変化が重なることで、大きなエンジン回転変動を発生させてしまい（図３参照）、運転者に違和感を与える。
【００２６】
有段変速機の場合には、僅かなスロットル開度ＴＶＯの変化では変速段の切り換えが発生せず、変速比が一定に保たれるから、スロットル開度ＴＶＯのみで車速が制御され、大きなエンジン回転変動が発生することがない（図３参照）。
そこで、ステップＳ５では、ＡＴコントロールユニット９に対して変速比変化を強制的に抑制することを要求する信号を出力することで、目標車速に維持するためのスロットル開度ＴＶＯの変化に対する、変速比変化を小さく抑制し、運転者に違和感を与えるような大きなエンジン回転速度変動が発生しないようにする。
【００２７】
前記要求信号を受けたＡＴコントロールユニット９では、基本変速比のステップ変化にディレーを設定したり、前記目標変速比を徐々に前記基本変速比に近づけるときのステップ変化量を通常よりも小さくしたり、基本変速比又は目標変速比の変化幅を所定値内に制限したりすることで、変速比変化を鈍らせ、又は、無段変速機１の変速比を強制的に固定したりする。
【００２８】
即ち、変速比変化の強制的な抑制は、変速比変化の応答性を遅くすることの他、変速比の変化代を小さく制限する（変速比の固定を含む）ことが含まれ、係る結果を得られる処理であれば上記処理に限定されるものではない。
尚、無段変速機１の変速比を固定する場合には、図３に示した有段変速機の場合のエンジン回転変化と同様なエンジン回転変化を示すことになる。
【００２９】
一方、車速の変動が大きい場合や、エンジン回転速度が所定値未満であるときには、ステップＳ１０へ進んで、無段変速機１の変速制御を通常に行わせる。
車速の変動が大きい場合には、スロットル開度ＴＶＯ制御を行い、これに伴って変速比を通常に変化させれば、駆動力を応答良く変化させることができ、車速を速やかに目標車速に収束させることができる。
【００３０】
また、エンジン回転速度が所定値未満である低回転状態では、無段変速機１の変速比が、定速走行制御に伴うスロットル開度ＴＶＯの変化に反応して変化しても、運転者に違和感を与えるようなエンジン回転変動を招くことがないので、ステップＳ１０へ進んで、無段変速機１の変速制御を通常に行わせる。
ステップＳ５で、ＡＴコントロールユニット９に対して変速比変化を強制的に抑制することを要求する信号を出力すると、次のステップＳ６では、目標車速に維持するためにスロットル開度ＴＶＯをフィードバック制御する。
【００３１】
ステップＳ７では、変速比変化を強制的に抑制した状態で、目標車速を維持するためにスロットル開度ＴＶＯをフィードバック制御した結果、スロットル開度ＴＶＯを所定以上変化させたか否かを判別する。
具体的には、車速の安定状態であると判断したときの平均的なスロットル開度ＴＶＯに対する偏差が所定以上になっているか否かを判別する。
【００３２】
スロットル開度ＴＶＯを所定以上に変化させている場合には、走行条件の変化（例えば路面勾配の変化）によって駆動力を大きく変化させる必要が生じているものと判断し、ステップＳ１０へ進んで無段変速機１の変速制御を通常に行わせる。
これにより、スロットル開度ＴＶＯの制御に伴って無段変速機１の変速比が通常のように応答変化し、スロットル開度ＴＶＯによるエンジン発生トルクの制御と、変速比の変化による駆動力の制御とが同時に行われ、車速を応答良く目標車速に収束させることができる。
【００３３】
また、ステップＳ７で、スロットル開度ＴＶＯの大きな変化がないと判断された場合には、ステップＳ８へ進み、目標車速と実車速とのずれが所定値以上になっているか否かを判別する。
そして、目標車速と実車速とのずれが所定値以上になっている場合には、路面の勾配の変化等によって、スロットル開度制御のみでは充分な応答で吸収できないほどの車速変動が発生していると判断し、ステップＳ１０へ進んで無段変速機１の変速制御を通常に行わせる。
【００３４】
この場合も、スロットル開度ＴＶＯの制御に伴って無段変速機１の変速比が通常のように応答変化させることで、スロットル開度ＴＶＯによるエンジン発生トルクの制御と、変速比の変化による駆動力の制御とを同時に行わせ、車速を応答良く目標車速に収束させることができる。
また、ステップＳ８で、目標車速と実車速とのずれが所定値未満であると判別されると、ステップＳ９へ進み、目標車速が変更されたか否かを判別する。
【００３５】
そして、目標車速が変更されたと判別されると、ステップＳ１０へ進んで無段変速機１の変速制御を通常に行わせる。
この場合も、スロットル開度ＴＶＯの制御に伴って無段変速機１の変速比が通常のように応答変化させることで、スロットル開度ＴＶＯによるエンジン発生トルクの制御と、変速比の変化による駆動力の制御とを同時に行わせ、目標車速の変化に対して実車速を応答良く変化させることができる。
【００３６】
図４のタイムチャートは、上記制御を実行した場合の走行例を示すものである。
定速走行制御における目標車速が設定されると（ｔ１）、前記目標車速に実車速を一致させるべくスロットル開度ＴＶＯをフィードバック制御する定速走行制御が開始される。
このとき、スロットル開度ＴＶＯの変化に連動して無段変速機１の変速比はリニアに変化する。
【００３７】
定速走行制御の結果、実車速が目標車速に収束して安定すると、無段変速機１における変速比変化を抑制する処理が開始されるようになり（ｔ２）、僅かな車速変化を吸収するためのスロットル開度ＴＶＯの変化に連動する変速比の変化を抑制し、エンジン回転の大きな変動が発生することを回避する。
上記安定した定速走行状態から、例えば目標車速を変更する操作がなされると、この目標車速の変化に実車速を追従変化させるために、車速の安定状態からスロットル開度ＴＶＯが大きく変更されることになり、これによって無段変速機１の変速比変化を抑制する制御がキャンセルされる（ｔ３）。
【００３８】
そして、目標車速の変化が停止されると（ｔ４）、この変化後の目標車速に収束させる制御を行い、車速が変更後の目標車速に安定すると、再度無段変速機１における変速比変化を抑制する処理が開始される（ｔ５）
また、前記車速の安定状態から例えば路面が登り勾配になり（ｔ６）、実車速と目標車速との偏差が大きくなると、無段変速機１の変速比変化を抑制する制御がキャンセルされ（ｔ７）、登り勾配により低下した車速を応答良く復活させるようにする。
【００３９】
そして、目標車速付近に安定すると、再度無段変速機１における変速比変化を抑制する処理が開始される（ｔ８）。
尚、自動走行制御がキャンセルされた場合には、当然に、無段変速機１の変速比変化を通常に戻す。
また、無段変速機１の変速比変化を抑制する度合いを、車速の安定度合いに応じて可変に設定することができ、また、変速比変化を抑制する状態を通常に戻す場合にも、スロットル開度の変化代、車速偏差、目標車速の変化代に応じて段階的に戻すようにすることができる。
【００４０】
ここで、上記実施形態から把握し得る請求項以外の技術的思想について、以下に効果と共に記載する。
（イ）請求項２記載の車両の制御装置において、
前記定速走行制御装置により前記エンジンの発生トルクが制御される状態であって、かつ、車速の安定状態であり、かつ、前記エンジンの回転速度が所定値以上であるときに、前記自動無段変速機における変速比変化を抑制することを特徴とする車両の制御装置。
【００４１】
かかる構成によると、車速が安定していて、大きな駆動力の増減が必要なく、エンジン発生トルクの調整のみで必要充分に車速を制御でき、然も、エンジン回転速度が所定値以上であって変速比変化が回転変動に大きく影響するときに、自動無段変速機の変速比変化を抑制する。
従って、エンジン発生トルクの制御に同期して変速比が変動した場合、エンジン回転速度が大きく変動して運転者に違和感を与える状況を的確に判断し、変速比変化を抑制する処理を効果的に実行させることができる。
（ロ）請求項１〜３のいずれか１つに記載の車両の制御装置において、
前記自動無段変速機における変速比変化を抑制した状態で、定速走行制御に伴うエンジン発生トルクの操作量が所定以上変化したときに、前記変速比変化の抑制をキャンセルすることを特徴とする車両の制御装置。
【００４２】
かかる構成によると、目標車速の変化や路面勾配の変化などによって、大きくエンジン発生トルクを変化させる必要が生じると（エンジンのスロットル開度が大きく変化すると）、無段変速機の変速比を通常に変化させる状態に戻す。
従って、運転者に違和感を与える回転変動の発生を抑止しつつ、目標車速の変化や路面勾配の変化に対して、実車速を応答良く変化させることができる。
（ハ）請求項１〜３のいずれか１つに記載の車両の制御装置において、
前記自動無段変速機における変速比変化を抑制した状態で、目標車速と実車速との偏差が所定以上になったときに、前記変速比変化の抑制をキャンセルすることを特徴とする車両の制御装置。
【００４３】
かかる構成によると、目標車速の変化や路面勾配の変化などによって、目標車速と実車速との偏差が所定以上になると、無段変速機の変速比を通常に変化させる状態に戻す。
従って、運転者に違和感を与える回転変動の発生を抑止しつつ、目標車速の変化や路面勾配の変化によって生じた目標車速と実車速との偏差を、応答良く小さくすることができる。
（ニ）請求項１〜３のいずれか１つに記載の車両の制御装置において、
前記自動無段変速機における変速比変化を抑制した状態で、目標車速が変更されたときに、前記変速比変化の抑制をキャンセルすることを特徴とする車両の制御装置。
【００４４】
かかる構成によると、目標車速が変更され、これに実車速を追従変化させる必要が生じると、無段変速機の変速比を通常に変化させる状態に戻す。
従って、運転者に違和感を与える回転変動の発生を抑止しつつ、目標車速の変化に対して実車速を応答良く変化させることができる。
（ホ）請求項１〜３のいずれか１つに記載の車両の制御装置において、
前記自動無段変速機における目標変速比の変化速度を遅くすることで、前記自動無段変速機における変速比変化を抑制することを特徴とする車両の制御装置。
【００４５】
かかる構成によると、運転条件（例えば車速，スロットル開度など）から要求される変速比の変化に対して、目標変速比の変化速度を遅らせることで、運転条件の変化に対する変速比変化を鈍らせる。
従って、スロットル開度の変化に対する変速比の変化が遅れ、大きな回転変動が発生することを回避できる。
【図面の簡単な説明】
【００４６】
【図１】実施形態における車両の駆動系を示すシステム図。
【図２】実施形態における定速走行制御時における無段変速機の変速特性の切り換え制御を示すフローチャート。
【図３】定速走行制御時のエンジン回転速度の変動を、無段変速機の場合及び有段変速機の場合について示すタイムチャート。
【図４】実施形態の制御を適用した走行パターンの例を示すタイムチャート。
【符号の説明】
【００４７】
１…無段変速機、２…プライマリプーリ、３…セカンダリプーリ、９…ＡＴコントロールユニット、１０１…エンジン、１０４…電子制御スロットル、１１４…エンジンコントロールユニット、１１７…クランク角センサ、１１８…スロットルセンサ、１１９…車速センサ、１３１…ブレーキスイッチ、１３２…ニュートラルスイッチ、１３３…クラッチスイッチ、１３４…クルーズＯＮ・ＯＦＦスイッチ（CRUISE ON OFF SW）、１３５…キャンセルスイッチ（CANCEL SW）、１３６…コースト・セット・スイッチ（COAST SET SW）、１３７…アクセラレート・リジューム・スイッチ（ACCEL RES SW）
【図１】
2006316699.tif 000003
【図２】
2006316699.tif 000004
【図３】
2006316699.tif 000005
【図４】
2006316699.tif 000006